(57)【特許請求の範囲】
【請求項１】
袋を保持する袋保持具であって、
前記袋の外側の表面である第１外表面に接合する第１接合部材と、
前記袋の外側の表面である第２外表面に接合する、前記第１接合部材と水平方向に対向する第２接合部材と、
前記第１接合部材と前記第２接合部材とが対向する方向に、前記第１接合部材と前記第２接合部材とを近接及び離隔させることができる接合部移動機構と、
前記第１接合部材が臨む方向を変えるための第１接合方向変更機構、及び前記第２接合部材が臨む方向を変えるための第２接合方向変更機構、のうち少なくとも１つと、
前記第１接合部材の垂直方向における下方に位置する、前記第１外表面に接合する第３接合部材と、
前記第２接合部材の垂直方向における下方に位置する、前記第２外表面に接合する第４接合部材と、
を備え、
前記第３接合部材及び前記第４接合部材は、垂直方向に移動可能である、
袋保持具。
【請求項２】
袋を保持する袋保持具であって、
前記袋の外側の表面である第１外表面に接合する第１接合部材と、
前記袋の外側の表面である第２外表面に接合する、前記第１接合部材と水平方向に対向する第２接合部材と、
前記第１接合部材と前記第２接合部材とが対向する方向に、前記第１接合部材と前記第２接合部材とを近接及び離隔させることができる接合部移動機構と、
前記接合部移動機構は、垂直方向に外力が加わることで、前記第１接合部材と前記第２接合部材とを前記第１接合部材と前記第２接合部材とが対向する方向に近接及び離隔させることができる垂直移動機構と、
を備える袋保持具。
【請求項３】
前記垂直移動機構の一部は、前記第１接合部材及び第２接合部材より垂直方向における上方に位置する、請求項２に記載の袋保持具。
【発明の詳細な説明】
【技術分野】
【０００１】
本発明は、袋保持具に関する。
【背景技術】
【０００２】
本技術分野の背景技術として、特開平１１−３２２００５号公報（特許文献１）がある。この公報には、「開口部を有する箱本体と、該箱本体内に収納されるゴミ袋群とからなり、上記ゴミ袋群は、個々の袋体が切り離し可能に連続してなり、上記箱本体は、底部が内側底板と外側底板との二重底に構成されて内側底板と外側底板との間に上記ゴミ袋群を収納する収納部が形成され、かつ内側底板に袋体引き出し口が設けられていることを特徴とするゴミ箱」が記載されている。
【先行技術文献】
【特許文献】
【０００３】
【特許文献１】特開平１１−３２２００５号公報
【発明の概要】
【発明が解決しようとする課題】
【０００４】
しかし、袋を効率よく袋保持具に設置できないおそれがあった。
【０００５】
そこで、本発明は、袋を効率よく設置できる袋保持具を提供する。
【課題を解決するための手段】
【０００６】
上記課題を解決するために、例えば特許請求の範囲に記載の構成を採用する。本願は上記課題を解決する手段を複数含んでいるが、その一例を挙げるならば、
袋を保持する袋保持具であって、
前記袋の外側の表面である第１外表面に接合する第１接合部材と、
前記袋の外側の表面である第２外表面に接合する、前記第１接合部材と水平方向に対向する第２接合部材と、
前記第１接合部材と前記第２接合部材とが対向する方向に、前記第１接合部材と前記第２接合部材とを近接及び離隔させることができる接合部移動機構と、を備える袋保持具。
【発明の効果】
【０００７】
本発明によれば、袋を効率よく設置できる袋保持具を提供できる。
上記した以外の課題、構成及び効果は、以下の実施形態の説明により明らかにされる。
【図面の簡単な説明】
【０００８】
【図１】第１接合部材と第２接合部材とが離隔した袋保持具の例である。
【図２】袋保持具の第１接合方向変更機構及び第２接合方向変更機構の機能を説明する図である。
【図３】第１接合部材２と第２接合部材３とが近接した袋保持具の例である。
【図４】袋保持具の底部材の例を説明する図である。
【図５】袋保持具の使用方法の例を説明する第１の図である。
【図６】袋保持具の使用方法の例を説明する第２の図である。
【図７】袋保持具の使用方法の例を説明する第３の図である。
【図８】袋保持具の使用方法の例を説明する第４の図である。
【図９】他の実施形態における袋保持具の例である。
【図１０】他の実施形態における袋保持具の例である。
【図１１】図１０における袋保持具の使用方法の例を説明する図である。
【発明を実施するための形態】
【０００９】
本実施形態では、袋を効率よく設置できる、袋を保持する袋保持具の例を説明する。ここで袋とは、例えば合成樹脂製、布製又は不織布でもよい。袋保持具は袋のみでなく袋の内部に投入された投入物をも保持することができる。
図１は、第１接合部材と第２接合部材とが離隔した袋保持具の例である。
【００１０】
本実施形態の袋保持具１は、接合部移動機構４、底部材７、及び２つの接合部保持部材８を備える。
接合部移動機構４は、第１接合部材２、第２接合部材３、第１接合方向変更機構、及び第２接合方向変更機構を有する。
底部材７は、天板７１、及び収容部７２を有する。天板７１は、開口部７１１を含む。
【００１１】
底部材７は、袋保持具１における垂直方向（図におけるｙ軸方向である。）の下端部に位置している。
２つの接合部保持部材８における下端部は、底部材７の天板７１のｘ軸方向における両端部かつｚ軸方向の一方端部にそれぞれ接続されている。
接合部移動機構４の一部は接合部保持部材８の垂直方向の上端部に接続されている。すなわち、接合部移動機構４ひいては第１接合部材２及び第２接合部材３は２つの接合部保持部材８に保持されている。
本実施形態における袋保持具１は、第１接合部材２及び第２接合部材３に袋を接合させることで、袋を保持できる。
【００１２】
本実施形態における接合部移動機構について説明する。
接合部移動機構４は、第１接合部材２と第２接合部材３とが対向する方向（以下、接合部対向方向とする場合があり、図におけるｚ軸方向である。）に、第１接合部材２と第２接合部材３とを近接及び離隔させることができる機構である。
本実施形態における接合部移動機構４は、２つの枠状部材を組み合わせものである。より具体的には、接合部移動機構４は、一方の枠状部材（第１枠状部材）の開口部に他方の枠状部材（第２枠状部材）を挿入し、第１枠状部材のうちの垂直方向に並行して延びる２つの部材における垂直方向のそれぞれの中央部と、第２枠状部材のうちの垂直方向に並行して延びる２つの部材における垂直方向のそれぞれの中央部とを、枠状部材が回転可能となるように、係合させた構造である。
【００１３】
第１接合部材２は、接合部取付板２２と接合部２１とを含む。
接合部取付板２２は、水平方向（ｘ軸方向）に延びる第１上端部材４１（第１枠状部材の上端に位置する水平方向に延びる部材）に設けられている。第１上端部材４１の水平方向（ｘ軸方向）における両端部はそれぞれ接合部保持部材８の上端部（位置Ｈ）に接続されている。
図１において、接合部取付板２２は第１上端部材４１から垂直方向下方に突出して第１上端部材４１に設けられている。
接合部取付板２２は、図１においては接合部対向方向を臨んでいる。
【００１４】
接合部２１は、接合部取付板２２に設けられており、図１においては第２接合部材３が位置する方向（袋が設置される方向であり以下で内側とする場合がある。）を臨んでいる。本実施形態においては、水平方向（ｘ軸方向）に並んで３つの接合部２１が接合部取付板２２に設けられている。
接合部２１は、接合部対向方向における両面に接合面を有している。接合面には接着材が設けられている。
【００１５】
一方側の接合面は接合部取付板２２に接合される。接合部取付板２２側の接合面に設けられた接着剤は、接合部２１を接合部取付板２２から容易に剥がせる材料からなる接着材であってもよい。
他方側の接合面には袋が接合される。袋と接着する側の接合面に設けられた接着材は、袋を接合部２１から容易に剥がせる材料からなる接着剤であってもよい。
【００１６】
なお、接合部取付板２２から接合部２１を剥離させるために必要となる力より、接合部２１から袋を剥離させるために必要なる力が、小さくなるように、各接着剤を採用することができる。すなわち、これにより、接合部２１から袋を剥離させるに際して、接合部２１が接合部取付板２２から剥離することを抑制できる。
【００１７】
なお、図示していないが、複数の接合部が積み重なっていてもよい。これにより、袋を臨む側（内側）の接合面の接着力が低下した場合に、接着力が低下した当該接合部を取り除くことで、新たな接合部を利用することができる。
【００１８】
第２接合部材３は、接合部取付板３２と接合部３１とを含む。
接合部取付板３２は、水平方向（図におけるｘ軸方向である。）に延びる、第１上端部材４１と水平方向に対向する第２上端部材４２（第２枠状部材の上端に位置する水平方向に延びる部材）に設けられている。
第２接合部材３の接合部３１は、図１においては第１接合部材２が位置する方向（袋が設置される方向であり、内側である。）を臨んでいる。
その他の第２接合部材３の接合部取付板３２及び接合部３１の構造は、第１接合部材２の接合部取付板２２及び接合部２１と同じ構造であるため説明を省略する。
【００１９】
第１上端部材４１は、水平方向（ｘ軸方向）に延びる当該第１上端部材４１を軸として回転可能に構成されている（第１接合方向変更機構）。当該構造により、第１上端部材４１に設けられた第１接合部材２が臨む方向を変えることができる。
【００２０】
第２上端部材４２は、水平方向（ｘ軸方向）に延びる当該第２上端部材４２を軸として回転可能に構成されている（第２接合方向変更機構）。当該構造により、第２上端部材４２に設けられた第２接合部材３が臨む方向を変えることができる。
【００２１】
図２は、袋保持具の第１接合方向変更機構及び第２接合方向変更機構の機能を説明する図である。
図２で示す袋保持具の第１上端部材４１は、第１接合部材２が内側へ入り込むよう（内回り）に図１における第１上端部材４１を１８０度回転させた状態である。言い換えれば、水平方向かつ内側を臨む第１接合部材２（０度回転された状態）が垂直方向の上方を臨んだ後（９０度回転された状態）、水平方向かつ外側を臨んだ（１８０度回転された状態）状態である。なお、本実施形態における第１上端部材４１は少なくとも３６０度回転可能である。
【００２２】
図２で示す袋保持具の第２上端部材４２は、第２接合部材３が内側へ入り込むよう（内回り）に図１における第２上端部材４２を１８０度回転させた状態である。言い換えれば、水平方向かつ内側を臨む第２接合部材３（０度回転された状態）が垂直方向の上方を臨んだ後（９０度回転された状態）、水平方向かつ外側を臨んだ（１８０度回転された状態）状態である。なお、本実施形態における第２上端部材４２は少なくとも３６０度回転可能である。
【００２３】
袋保持具１は、垂直方向に外力が加わることで、第１接合部材２と第２接合部材３とを接合部対向方向に近接及び離隔させることができる機構（以下、垂直移動機構とする場合がある。）を有する。具体的には、第２枠状部材の下端において水平方向（ｘ軸方向）に延びる垂直移動部材４１１（第１上端部材４１の直下に位置するｘ軸方向に延びる部材）を垂直方向に移動させることで、第１接合部材２と第２接合部材３とを接合部対向方向に近接及び離隔させることができる。
【００２４】
なお、垂直移動部材４１１は接合部保持部材８の内側の側部と接しており（固定はされていない）、接合部保持部材８より外側へは垂直移動部材４１１が位置することはない。
【００２５】
図１及び図２で示す袋保持具においては第１上端部材４１（第１接合部材２）と第２上端部材４２（第２接合部材３）とが離隔した状態（２つの枠状部材が垂直方向に対して大きく傾斜した状態）である。
【００２６】
図３は、第１接合部材２と第２接合部材３とが近接した袋保持具の例である。
図３で示す袋保持具においては第１上端部材４１（第１接合部材２）と第２上端部材４２（第２接合部材３）とが近接した状態（２つの枠状部材が垂直方向に対して小さく傾斜した状態）である。
【００２７】
図４は、袋保持具の底部材の例を説明する図である。図４で示す底部材は一部が切り欠かれている。
本実施形態における底部材７について説明する。
本実施形態における底部材７は箱状部材であり、箱状部材のうちの水平方向（ｘ軸方向）における一端の側面が開口している。
箱状部材である底部材７の内部（収容部７２）には、複数の袋が連続して連結した、ロール状の袋群１０が収容されている。
開口している側面と対向する側面の内部には、ロール状の袋群１０の中心軸として機能する棒状部材７２１が設けられている。
【００２８】
箱状部材である底部材７の水平方向に延びる上面（天板７１）には収容部７２に収容された袋を取り出すための開口部７１１を含む。言い換えれば、収容部７２は天板７１の垂直方向における下方に位置する。
開口部７１１からロール状の袋群１０の一端の袋を上方に取り出すことができる。
なお、収容部７２に収容される袋群１０はロール状でなくてもよく、例えば、連続して連結した複数の袋を平積みに折り畳んだ袋群であってもよい。
【００２９】
以下で、本実施形態における袋保持具の使用方法を説明する。
図５は、袋保持具の使用方法の例を説明する第１の図である。
図６は、袋保持具の使用方法の例を説明する第２の図である。
図７は、袋保持具の使用方法の例を説明する第３の図である。
図８は、袋保持具の使用方法の例を説明する第４の図である。
【００３０】
図５で示す袋保持具１は、第１接合部材２と第２接合部材３とが離隔した状態の袋保持具である。
図５で示す袋保持具１は、袋１０１の外側の表面（第１外側表面）が第１接合部材２に接合し、第１外側表面と反対側の、袋１０１の外側の表面（第２外側表面）が第２接合部材３に接合することで、袋１０１を保持している。この状態において、第１接合部材２及び第２接合部材３はそれぞれ内側を臨んでいる。
【００３１】
図６で示す袋保持具１は、図５で示す袋保持具の第１接合部材２（第１上端部材４１）及び第２接合部材３（第２上端部材４２）を内回りに３６０度回転させた状態を図示している。すなわち、図６で示す袋保持具１は、開口する袋１０１の上端部を外側に折り返した状態で、当該袋１０１を保持する。これにより、接合部より上方に位置する袋の一部が内側に折り返されてしまい、利用者の手が比較的触れる袋の開口部上端の外側表面が袋に投入される物に触れて汚れることを抑制できる。
袋保持具１の利用者は、第１接合部材２が設けられた第１上端部材４１及び第２接合部材３が設けられた第２上端部材４２を内回りに回転させることで、開口する袋１０１の上端部を外側に折り返した状態にできる。
【００３２】
袋保持具１の利用者は、図６で示す袋保持具１の状態において、袋１０１の内部に物を投入することができる。
投入物は袋１０１の内側かつ天板７１の上に置かれるため、天板７１の縁部に開口部７１１が位置することが好ましい。この構造により、天板７１の中央部に開口部７１１が位置する場合に比して、開口部７１１の直上に位置する、天板７１に支持されていない部分に投入物が置かれて袋が破れることを抑制できる。
ここで、縁部とは、天板７１の中央に、天板７１と同じ形状（矩形の場合には同じアスペクト比）かつ天板７１の面積の３０％の面積である仮想領域を区画した場合における、当該仮想領域外に位置する部分である。
また、天板７１の開口部７１１を袋の底面が覆っていないことがより好ましい。
【００３３】
なお、図示していないが、天板７１の開口部７１１の開口位置は、天板７１の開口部７１１以外の部分より垂直方向における上方に位置していてもよい。当該構成より、袋が破れて内部の流体が漏れ出した場合に、開口部７１１に当該流体が流れ込むことを抑制できる。
【００３４】
図７で示す袋保持具１は、図６で示す袋保持具１の状態から第１接合部材２（第１上端部材４１）及び第２接合部材３（第２上端部材４２）を外回り（上記内回りと反対回り）に３６０度回転させ（図５で示す袋保持具１の状態に戻し）、袋１０１を第１接合部材２及び第２接合部材３から引き離し、袋１０１を上方（図７における矢印A方向）に引き出し、袋１０１の下方に連続して連結する袋１０２の上端部を両側から挟み込むように第１接合部材２と第２接合部材３とを近接（図７における矢印B方向に第２接合部材３を移動）させて、袋１０２と第１接合部材２及び第２接合部材３とを接合させた状態を図示している。
【００３５】
図８で示す袋保持具１は、第１接合部材２と第２接合部材３とが離隔した状態の袋保持具である。
袋保持具１の利用者は、図７で示す袋１０１と袋１０２との連結を解消させた後、第１接合部材２と第２接合部材３とを離隔（図８における矢印C方向に第２接合部材３を移動）させることで、図８で示すように袋１０２の上端を開口させることができる。
【００３６】
図９は、他の実施形態における袋保持具の例である。
図９で示す袋保持具１′は、第３接合部材５及び第４接合部材６をさらに備える。
第３接合部材５は、第１接合部材２の垂直方向における下方に位置しており、袋の第１外表面と接合する。
第４接合部材６は、第２接合部材３の垂直方向における下方に位置しており、袋の第２外表面と接合する。
【００３７】
より詳細には、図９における袋保持具１′は、第３接合部材５を保持する２つの第３接合部保持部材５１を備える。第３接合部保持部材５１は垂直方向に延びている。第３接合部保持部材５１の上端が第１枠状部材における第１上端部材４１に接続され、第３接合部保持部材５１の下端が第２枠状部材の下端において水平方向（ｘ軸方向）に延びる垂直移動部材４１１（第１上端部材の直下に位置するｘ軸方向に延びる部材）に接続されている。
第３接合部保持部材５１は、垂直方向に伸縮可能な構造である。
【００３８】
第３接合部材５は、水平方向（ｘ軸方向）に延びる支軸と、袋が設置される側（内側）を臨む接合部を含む接合部取付板と、を含む。接合部取付板は支軸に設けられている。
支軸の両端は第３接合部保持部材５１に接続されて保持されている。
第３接合部材５（支軸）は、垂直方向に移動可能に第３接合部保持部材５１に接続されている。
図９における袋の第２外表面と接合する第４接合部材６は、第３接合部材５と同じ構造で、第３接合部材５と対向する位置に設けられており、第４接合部材６（支軸）は、垂直方向に移動可能に第４接合部保持部材６１に接続されている。
【００３９】
図９における袋保持具１′の構造により、袋の下方部分も十分に開口させることができる。また、第３接合部材５及び第４接合部材６が垂直方向に移動可能であるため、第１接合方向変更機構及び第２接合方向変更機構により、袋の上端を外側に折り返した場合（袋が垂直方向に移動した場合）であっても袋を保持することができる。
【００４０】
図１０は、他の実施形態における袋保持具の例である。
図１０で示す袋保持具１′′は、垂直移動部材４１１から、接合部対向方向かつ外側方向（袋から遠ざかる方向）に延びる突出板４１２を備える。突出板４１２は、垂直移動部材４１１に設けられ、２つの接合部保持部材８の間に位置する。当該袋保持具１′′の利用者は突出板４１２を下方に押し下げることにより垂直移動部材４１１を下方に下げることができ、ひいては第１接合部材２と第２接合部材３とを近接させることができる。
【００４１】
また、図１０で示す袋保持具１′′は、下端が垂直移動部材４１１に接続され、接合部保持部材８に沿って垂直方向に延びる柱状部材４１３を備える。柱状部材４１３の下端は垂直移動部材４１１に取付られているところ、接合部保持部材８に設けられた、柱状部材４１３を取り囲むガイド部８２により、柱状部材４１３は垂直方向に延びて立つことができる。
柱状部材４１３の上端は第１接合部材２及び第２接合部材３より上方に位置する。この構造により、利用者は柱状部材４１３の上端に垂直方向に力を加えることで、第１接合部材２と第２接合部材３とを近接又は離隔させることができる。
【００４２】
図１０で示す袋保持具１′′は、第１接合部材２と第２接合部材３とが離隔した状態を維持するための離隔維持部材４５を４つ備える。離隔維持部材４５はゴムなどの弾性材料で作製されている。２つの離隔維持部材４５のそれぞれは上端が第１上端部材４１に接続され、下端が垂直移動部材４１１に接続されている。また他の２つの離隔維持部材４５のそれぞれは上端が第２上端部材４２に接続され、下端が第１枠状部材の下端において水平方向（ｘ軸方向）に延びる部材４２１（第２上端部材４２の直下に位置するｘ軸方向に延びる部材）に接続されている。各離隔維持部材４５はｘ軸方向における両端部付近に位置する。
【００４３】
図１０で示す離隔維持部材４５には自重以外の何らの外力も加えられていない状態である。
外力が加えられて第１接合部材２と第２接合部材３とが近接している場合（図３で示すような場合）には、第１上端部材４１と垂直移動部材４１１とがより離れることとなり、離隔維持部材４５が垂直方向に引っ張られることとなる。その後、当該外力が加えられなければ、離隔維持部材４５の収縮力により、第１上端部材４１と垂直移動部材４１１との距離が近くなり、すなわち、第１接合部材２と第２接合部材３とが離隔している状態（図１０の状態）へと遷移する。
【００４４】
図１１は、図１０における袋保持具の使用方法の例を説明する図である。
図１１の袋保持具１′′は、自重以外の外力が加えられた状態であり、図１０で示す袋保持具１′′の第１接合部材２と第２接合部材３とをさらに離隔した状態を示している。当該状態においては、離隔維持部材４５はそれ以上収縮することができずに撓んだ状態となっている。利用者は、第１上端部材４１と第２上端部材４２とを水平方向に離隔させること、又は柱状部材４１３を上方に引き上げることで、図１１の状態とできる。
図１１で示す状態とすることで、利用者は袋に触れることなく、袋を第１接合部材２と第２接合部材３とから引き離すことが可能となる。
【００４５】
以上、本発明について詳細に説明したが、本発明は上述の実施の形態に限定されるものではなく、本発明の要旨を逸脱しない範囲内において、種々の変更、改良等が可能である。
【符号の説明】
【００４６】
１      ：袋保持具
１′    ：袋保持具
２      ：第１接合部材
３      ：第２接合部材
４      ：接合部移動機構
５      ：第３接合部材
６      ：第４接合部材
７      ：底部材
７１    ：天板
７２    ：収容部
８      ：接合部保持部材
１０    ：袋
【要約】
【課題】  袋を効率よく設置できる袋保持具を提供する。
【解決手段】
袋を保持する袋保持具であって、
袋の外側の表面である第１外表面に接合する第１接合部材と、
袋の外側の表面である第２外表面に接合する、第１接合部材と水平方向に対向する第２接合部材と、
第１接合部材と第２接合部材とが対向する方向に、第１接合部材と第２接合部材とを近接及び離隔させることができる接合部移動機構と、を備える袋保持具。
本発明によれば、袋を効率よく設置できる袋保持具を提供できる。
【選択図】  図１【図１】
0006836639.tif 000002
【図２】
0006836639.tif 000003
【図３】
0006836639.tif 000004
【図４】
0006836639.tif 000005
【図５】
0006836639.tif 000006
【図６】
0006836639.tif 000007
【図７】
0006836639.tif 000008
【図８】
0006836639.tif 000009
【図９】
0006836639.tif 000010
【図１０】
0006836639.tif 000011
【図１１】
0006836639.tif 000012